(57)【要約】第１のビームと第１のビームに取り付けられるカバープレートを備える構造ビームである。第１のビームは、その長さの少なくとも第１の部分に沿って実質的にＵ字形状の断面を有する。Ｕ字形状は、底部壁、２つの側壁、２つの側壁の少なくとも１つの端部において側面のフランジと、側壁と側面のフランジの間に接合部における溝を備える。溝は、溝の底部においてまたは近くに、実質的に平らな第１の接合領域を有する。構造ビームのカバープレートは、第１の接合領域に溶接された実質的に平らな第２の接合領域を有する。そのようなビームを製造する方法もまた提供される。【選択図】図４
2019501813.tif 000002
【特許請求の範囲】
【請求項１】
第１のビームと、第１のビームに取り付けられるように構成されたカバープレートを備え、
第１のビームは、その長さの少なくとも第１の位置に沿って、実質的にＵ字形状の断面であり、
Ｕ字形状は、底部壁、及び２つの側壁を備え、
断面はさらに、２つの側壁の少なくとも１つの端部において、外側に突き出る側面のフランジと、側壁と外側に突き出る側面のフランジの間の接合部に溝を備え、
溝は、溝の底部においてまたは近くに第１の接合領域を有し、
第１の接合領域は、実質的に平坦であり、
カバープレートは、実質的に平坦の第２の接合領域を有し、
カバープレートは、第１及び第２の接合領域で第１のビームと溶接され、
第１の接合領域と第２の接合領域は、約２−１０ｍｍの幅を有している、構造ビーム。
【請求項２】
２つの側壁のそれぞれの端部において外側に突き出る側面のフランジと、側壁とそれぞれの外側に突き出る側面のフランジの間の接合部に溝を備え、
それぞれの溝は、溝の底部においてまたは近くに第１の接合領域を有し、
第１の接合領域は、実質的に平坦である、請求項１に記載の構造ビーム。
【請求項３】
さらにＵ字形状の底部壁において溝を備える、請求項１または２に記載の構造ビーム。
【請求項４】
さらにＵ字形状の側壁の少なくとも１つにおいて、少なくとも１つの遷移領域を備える、請求項１乃至３のいずれか１項に記載の構造ビーム。
【請求項５】
カバープレートは、第１のビームのほぼ全長に沿って延在し、第１のビームと合わせて閉じた構造を形成する、請求項１乃至４のいずれか１項に記載の構造ビーム。
【請求項６】
カバープレートは、第１のビームにレーザ溶接されている、請求項１乃至５のいずれか１項に記載の構造ビーム。
【請求項７】
第１のビームは、２２ＭｎＢ５スチールで作られている、請求項１乃至６のいずれか１項に記載の構造ビーム。
【請求項８】
請求項１乃至７のいずれか１項に記載の構造ビームを備えるＢピラー。
【請求項９】
請求項１乃至７のいずれか１項に記載の構造ビームを備えるＡピラー。
【請求項１０】
請求項１乃至７のいずれか１項に記載の構造ビームを備えるバンパ。
【請求項１１】
車の構造ビームを製造する方法であって、
第１のビームと第１のビームに取り付けられるように構成されたカバープレートを供給することであって、
第１のビームは、その長さの少なくとも第１の部分に沿って実質的にＵ字形状の断面を有し、
Ｕ字形状は、底部壁と２つの側壁を備え、
Ｕ字形状は、さらに２つの側壁の少なくとも１つの端部において、外側に突き出る側面のフランジと、側壁と外側に突き出る側面のフランジの間の接合部に溝と、を有し、
溝は、溝の底部においてまたは近くに、第１の接合領域を有し、
第１の接合領域は、実質的に平坦であり、
カバープレートは、実質的に平坦な第２の接合領域を有し、
第１の接合領域と第２の接合領域は、約２−１０ｍｍの幅を有する、第１のビームとカバープレートを供給することと、
第１及び第２の接合領域において、第１のビームとカバープレートとを溶接することを備える方法。
【請求項１２】
溶接は、レーザ溶接を備える、請求項１１に記載の方法。
【請求項１３】
レーザ溶接は、遠隔レーザ溶接である、請求項１２に記載の方法。
【請求項１４】
第１のビームとカバープレートを供給することは、第１のビーム及び／またはカバープレートを熱間成形することを備える、請求項１１乃至１３のいずれか１項に記載の方法。
【発明の詳細な説明】
【技術分野】
【０００１】
本出願は、２０１５年１２月１８日に出願された欧州特許出願ＥＰ１５３８２６４４．１の利益と優先権を主張する。本開示は、構造ビーム、特に、カバープレートを組み込む構造ビームに関連する。本開示はまたバンパ、Ｂ−ピラー及びＡ−ピラーにも関連する。
【背景技術】
【０００２】
例えば、自動車など、車は、車がそのライフタイムの間さらされるかもしれない、全ての負荷に耐えるために設計された構造骨組を組み込む。構造骨組はさらに、例えば他の自動車との衝突の場合に備えて、衝撃に耐え、吸収するように設計される。
【０００３】
例えば、自動車など、車の構造骨組は、この意味において、例えば、バンパ、ピラー（Ａ−ピラー、Ｂ−ピラー、Ｃ−ピラー）、側面衝突ビーム、ロッカパネル、及びショックアブソーバを含むことができる。これらの構成要素は、ビーム及びそのようなビームの周りの追加のプレートを組み込むことができる。そのようなビームは、さまざまな方法で製造されることができ、またさまざまな材料で作られることができる。
【０００４】
自動車の構造骨組のために、または少なくとも多くのその構成要素のために、重量単位あたり最適な最大の強度と、有利な成形特性を示す、いわゆる超高強度スチール（「Ｕｌｔｒａ  Ｈｉｇｈ  Ｓｔｒｅｎｇｔｈ  Ｓｔｅｅｌｓ」（ＵＨＳＳ））を使うことが、自動車工業において通常になっている。ＵＨＳＳは、少なくとも１０００ＭＰａ、好ましくは約１５００ＭＰａまたは最大２０００ＭＰａまで、またはそれより大きい最大引っ張り強度を有することができる。
【０００５】
自動車工業において使われるスチールの実施例は、２２ＭｎＢ５スチールである。２２ＭｎＢ５の組成は、重量％で以下にまとめられる（残りは鉄（Ｆｅ）及び不純物）
【０００６】
【表１】
2019501813.tif 000003
【０００７】
いくつかの２２ＭｎＢ５スチールは、同様の化学組成を有するものが商業的に入手可能である。しかしながら、２２ＭｎＢ５スチールの構成要素のそれぞれの正確な量は、ある製造者と別の製造者でわずかに変わることがある。他の実施例において、２２ＭｎＢ５は、約０．２３％Ｃ、０．２２％Ｓｉ、及び０．１６％Ｃｒを含むことができる。材料は、さらに異なる割合でＭｎ、Ａｌ、Ｔｉ、Ｂ、Ｎ、Ｎｉを含むことができる。
【０００８】
Ａｒｃｅｌｏｒ  Ｍｉｔｔａｌから商業的に入手可能である、Ｕｓｉｂｏｒ（登録商標）１５００Ｐは、仕立てられた、及びパッチワークのブランクに使われる商業的に入手可能な２２ＭｎＢ５スチールの実施例である。仕立てられた（溶接された）ブランク及びパッチワークブランクは、例えば熱スタンピングなどの変形プロセスの前のさまざまな厚さのブランクを提供する。仕立てられたブランクの厚さのバリエーションは、（局部的な）補強と混同するべきでない。この意味において、その代わりに補強材は、変形プロセスの後に、構成要素に加えられる。
【０００９】
Ｕｓｉｂｏｒ（登録商標）１５００Ｐは、フェライト−パーライト相で供給される。同一パターンで分配された微細粒子構造である。機械的特性は、この構造に関連する。加熱、熱スタンピングプロセス、及びそれに続く焼き入れの後、マルテンサイト微細構造は作り出される。結果として、最大強度と降伏強度は著しく増加する。
【００１０】
Ｕｓｉｂｏｒ（登録商標）の組成は、重量％で以下にまとめられる。（残りは鉄（Ｆｅ）及び不可避の不純物である）
【００１１】
【表２】
2019501813.tif 000004
【００１２】
ＵＨＳＳのさまざまな他のスチール組成は、また自動車工業において使われることもできる。特に、欧州特許公開公報ＥＰ２  ７３５  ６２０  Ａ１に記載されるスチール組成は、適切であると考えられる。欧州特許公開公報ＥＰ２  ７３５  ６２０の表１及び段落００１６−００２１、及び段落００６７−００７９を考慮して、具体的な参照をすることができる。いくつかの実施例において、ＵＨＳＳは、約０．２２％Ｃ、１．２％Ｓｉ、及び２．２％Ｍｎを含むことができる。
【００１３】
これらの組成のいずれかのスチール（例えばＵｓｉｂｏｒ（登録商標）などの２２ＭｎＢ５スチール及び前に言及されまたは参照された他の組成物）は、腐食及び酸化ダメージを避けるためにコーティングが供給されることができる。このコーティングは、例えばアルミニウム−シリコン（ＡｌＳｉ）コーティングまたは主に亜鉛または亜鉛合金を含むコーティングであることができる。
【００１４】
Ｂ−ピラーにおいて、重要な問題は、侵入が車の乗員に損傷を引き起こすので、中間領域で変形しないまたはほとんど変形しないことを保証することである。Ｂ−ピラーは、例えばＵｓｉｂｏｒ（登録商標）などのＵＨＳＳで作られることができ、異なる厚さの領域を有することができる。特に、中央領域（Ｂ−ピラーの高さの半分の周り）は、前述の侵入を避けるためにより強い（すなわち、厚い）ことができるが、構造の重量はそれゆえ増加する。その変形を避けるために中間領域に適用される別の解決法は、追加の補強材を含むが、構造の重量は、その結果として増加する。
【００１５】
Ｂ−ピラーは、さらに中央領域より低い剛性を有する、Ｂ−ピラー中央ビームの低い部分に軟らかい領域を備えることができる。これは、中央領域から離れるエネルギの消失を集中させ、また変形の運動力学を制御するためである。それゆえ、中央領域は、変形なく残り、軟らかい領域は、変形される。
【００１６】
いくつかの実施例において、Ｂ−ピラーは、中央ビーム、外部プレート及び内部プレート（またはカバープレート）、及び任意にさらに中央補強材（本明細書で中央は、外部と内部のプレートの間を意味する。）を備えることができる。内部プレートは、例えば自動車など、車の内装に部品を取り付けるために役立つことができる。外部プレートは、特に、自動車のドアに相補形状を提供するために役立つことができる。
【００１７】
カバープレートについて言えば、これらは、スポット溶接によって、Ｂ−ピラーに溶接されることができる。
【００１８】
スポット溶接は、高強度溶接電流を集中領域（またはスポット）において両方の部品に通し、その点で材料を溶かし、溶接を形成する、２つの電極を使って、２つの金属部品を接合する。この技術は、しかしながら、そのような私たちに、連続溶接を形成することが不可能である、または溶接点への骨の折れるアクセスによりいくつかの領域または部品を溶接することが難しい可能性がある、いくつかの不利益がある。この技術は約１５ｍｍの幅を超える、（第１のビームとカバープレートが合わせて溶接される）平坦の部分を必要とする。
【００１９】
他方では、自動車会社は、重量の重い車は、高い製造コストだけでなく、燃料消費の増加、大きい質量の高い慣性による加速、ブレーキ、及び／または、曲がるときのより大きい難しさ、を含むので、可能な限り自動車の重量を減らそうとする。
【００２０】
結論において、衝突事故において車の構造の骨組の機械的な挙動を改善する必要がある一方で、同時に同じ骨組の重量を可能な限り減らす。
【先行技術文献】
【特許文献】
【００２１】
【特許文献１】欧州特許公開第２  ７３５  ６２０号公報
【発明の概要】
【００２２】
第１の態様において、第１のビームと、第１のビームに取り付けられるように構成されたカバープレートを備える構造ビームが提供される。第１のビームは、その長さの少なくとも第１の位置に沿って、実質的にＵ字形状の断面を有する。このＵ字形状は、底部壁、及び２つの側壁を備える。言及された断面はさらに、２つの側面の少なくとも１つの端部において、外側に突き出る側面のフランジと、側壁と外側に突き出る側面のフランジの間の接合部に溝を備える。溝は、実質的に平坦である溝の底部においてまたは近くに第１の接合領域を有する。構造ビームのカバープレートは、実質的に平坦な第２の接合領域を有する。カバープレートは、第１及び第２の接合領域で第１のビームと溶接される。第１の接合領域と第２の接合領域は、約２−１０ｍｍの幅を有している。
【００２３】
実質的にＵ字形状の断面と、フランジとＵ字形状の間の溝の使用は、関連軸の周りの慣性モーメントが増加するので、曲げる力のもとで、よい挙動を可能にする。平坦な接合領域を、溝とカバープレートの両方に組み込むことにより、溝における溶接を可能とする。前述の配置において、カバープレートが通常、フランジにおいて溶接される一方で、カバープレートの幅は、もし、それらが溝において接合されるならば、減少することができる。これにより、カバープレートの（結果ビームの）重量を減らすことができるが、特に万が一衝撃または衝突の場合に同じ性能を維持する。
【００２４】
さらに、約２−１０ｍｍの幅の第１及び第２の接合領域を有することは、第１のビーム溝においてカバープレートを溶接することができ、すなわちフランジは、溶接目的のために必要とされない。余分な材料がフランジを製造するために加えられないので、減量は達成される。
【００２５】
いくつかの実施例において、構造ビームは、２つの側壁のそれぞれの端部において外側に突き出る側面のフランジと、側壁とそれぞれの外側に突き出る側面のフランジの間の接合部に溝を備え、それぞれの溝は、溝の底部においてまたは近くに第１の接合領域を有し、第１の接合領域は実質的に平坦である。
【００２６】
いくつかの実施例において、構造ビームは、さらにＵ字形状の底部壁において溝を備える。
【００２７】
いくつかの実施例において、構造ビームは、さらにＵ字形状の側壁の少なくとも１つにおいて、少なくとも１つの遷移領域を備える。
【００２８】
さらなる実施例によると、カバープレートは、第１のビームのほぼ全長に沿って延在することができ、このような方法で、第１のビームと閉じた構造を形成する。閉じた構造の有利な点は、ねじり剛性が増加することであり、それゆえ補強構造が作り出される。
【００２９】
いくつかの実施例において、カバープレートは第１のビームにレーザ溶接されることができる。
【００３０】
別の実施例によると、カバープレートは、レーザ溶接することによって第１のビームに溶接される。スポット溶接と比較されるように、レーザ溶接は、連続溶接することと、それゆえ、閉じた構造を形成する可能性がある。レーザ溶接は、また必要とされる最小接合幅がスポット溶接より小さく、すなわち、スポット溶接において必要とされる１５と対比して２ｍｍとすることができるので、より重量を減らすことが容易である。
【００３１】
より小さい平坦な領域が、第１のビームとカバープレートにおいて必要とされるので、カバープレートを第１のビームに接合することは、例えば、溝の形状を修正する必要なく、可能である。より小さい平坦な領域の使用は、また、その重量を変えることなく、Ｕ字形状の断面ビームの慣性を改善することもできる。
【００３２】
レーザ溶接の別の態様は、スポット溶接の２つの電極と対比して、ただ１つの器具が、溶接するときに使われるので、アクセスが難しい領域において溶接する能力がある。
【００３３】
いくつかの実施例において、第１のビームは、２２ＭｎＢ５スチールで作られることができる。
【００３４】
いくつかの実施例によれば、構造ビームは、Ｂ−ピラーの一部であることができる。
【００３５】
他の実施例によれば、構造ビームは、Ａ−ピラーの一部であることができる。
【００３６】
さらなる実施例によれば、構造ビームは、バンパ一部であることができる。
【００３７】
第２の態様において、車の構造ビームを製造する方法が開示される。第１に、本明細書で開示された実施例のいずれかによる、第１のビームとカバープレートが提供される。その後、第１のビームとカバープレートは、第１及び第２の接合領域で溶接される。
【００３８】
いくつかの実施例において、溶接はレーザ溶接を備える。他の実施例において、レーザ溶接は、遠隔レーザ溶接であることができる。
【００３９】
いくつかの実施例において、第１のビームとカバープレートを供給することは、第１のビーム及び／またはカバープレートを熱間成形することを備えることができる。
【図面の簡単な説明】
【００４０】
本開示の限定されない実施例は、添付された図面を参照して、続いて記載されるであろう。
【００４１】
【図１】一般的なＢ−ピラー中央ビームを描く。
【図２ａ】Ｂ−ピラー中央ビームの背面図を描く。
【図２ｂ】１以上のカバープレートを備える、Ｂ−ピラー中央ビームの実施例の背面図を描く。
【図２ｃ】１以上のカバープレートを備える、Ｂ−ピラー中央ビームの実施例の背面図を描く。
【図３】従来技術によって溶接された構造ビームを描く。
【図４】実施例において溶接された構造ビームを描く。
【図５ａ】Ｂ−ピラーの実施例による、構造体の第１のビーム及びカバープレートの異なる形状の実施例を描く。
【図５ｂ】Ｂ−ピラーの実施例による、構造体の第１のビーム及びカバープレートの異なる形状の実施例を描く。
【図６ａ】バンパの実施例による、構造体の第１のビーム及びカバープレートの異なる形状の実施例を描く。
【図６ｂ】バンパの実施例による、構造体の第１のビーム及びカバープレートの異なる形状の実施例を描く。
【図７】第１のビームが穴を有する領域において、構造ビームの可能な形態の実施例を描く。
【図８】構造ビームを製造する可能な方法の実施例の概略的に描く。
【発明を実施するための形態】
【００４２】
図１は、一般に、低部１０５においてロッカに、上部１０１において、車、例えば自動車の、屋根パネルに溶接される、Ｂ−ピラー中央ビーム１００を描く。車の前及び後部シートの間に置かれ、また、異なる目的のためには有益である。前に言われたように、車の骨組に構造の支持を与え、車の衝突において、安全障壁を提供する。
【００４３】
いくつかの実施例において、Ｂ−ピラーは、第１のビーム（または中央ビーム）、外部プレート及び内部プレート（またはカバープレート）を備えることができる。カバープレートは、車、例えば自動車の、内装に部品を取り付けるために役立つことができる。外部プレートは、自動車ドアへ相補的な形状を提供するために、特に役立つことができる。カバープレートと外部プレートの両方は、特定の実施例によるが、結果となるＢ−ピラーの構造強度と剛性に貢献することができる。
【００４４】
その上、Ｂ−ピラー中央ビームは、またそれぞれの目的のために設けられた穴にしっかりと固定される多くの要素の係留としても使用される。図１のＢピラー中央ビーム１００は、シートベルトのアンカを取り付けるための穴、及びドアロックが配置されることができる、別の穴を有することができる。Ｂ−ピラー中央ビームは、さらに、例えば、内部の車構造のプラスチック調度品または裏地を取り付けるために、異なる形状と大きさの締め具穴を開示ことができる。図１はさらに外に突き出るフランジ１０６を描く。
【００４５】
Ｂ−ピラー中央ビームの中央部分１０３は、車の側面衝突において、最も決定的に重要な意味をもつ部分である。衝突は、車の乗員に損傷を引き起こし、構造への侵入を引き起こす可能性がある。それゆえ、そのような中央領域１０３に変形が起こらないことを保証することが重要であり、その結果として、領域が補強され、固くなる。
【００４６】
図２ａにおいて、Ｂピラー中央ビームの背面図が示される。Ｂ−ピラー中央ビーム２００は、外側に突き出るフランジ２１１及び溝２１２を有する。
【００４７】
中央ビームとカバープレートは合わせて溶接されることができ、そして、レーザ溶接は連続接合できるので、両方の部品は、閉じた構造を形成することができる。管状の存在物は、ひねりまたはねじり力により抵抗し、それゆえ、例えばＢ−ピラーなどの構造体へ興味を引くことができる。実施例は、Ｂ−ピラー中央ビーム２００及びカバープレート２２０が閉じた構造を形成するように溶接される、図２ｂに描かれる。実施例において示されるように、カバープレートは、例えば重量を減らすためまたはドアロックにアクセスすることができるように、穴２２１を備えることもできる。
【００４８】
他方で、局部的に配置されたカバープレートは、例えばＢ−ピラー中央ビームなどの長さの一部にわたる異なる領域において、構造体、例えばＢ−ピラーなどの、中央ビームに溶接されることができる。このような方法で、閉じた構造体は、形成されることができないが、特定の領域は、強化されることができる。実施例は、２つのカバープレート２３０がその中央及び低部を固くする、Ｂ−ピラー中央ビーム２００に溶接される、図２ｃに見出されることができる。
【００４９】
局部的に配置されたカバープレートの効果は、構造体を強化するために使われる材料の減少であり、そして、それゆえ、製造コストが節約されることである。局部的に配置されたカバープレートの別の効果は、従来の溶接技術と比較してだけでなく、カバープレートが図２ｂで示されるように、Ｂ−ピラー中央ビームの全長さのほとんどにわたって延在する実施例と比較しても重量を減らすことである。
【００５０】
図３において、カバープレート３２０及びＢ−ピラー中央ビーム３００は、従来技術の配置によって概略的に示される。図において、両方の要素は、外側に突き出る水平フランジ３０１、３２１が設けられる。カバープレートは溶接点３４０においてスポット溶接を用いて、フランジにおいて取り付けられる。カバープレート３２０は、スポット溶接がアクセスとフランジにおいてのみ利用可能な、約３０ｍｍの平らな表面を必要とするので、フランジにおいて取り付けられる。
【００５１】
図４は、Ｂ−ピラー中央ビーム４００及びカバープレート４２０が、本開示の実施例によって溶接される実施例を描く。Ｂ−ピラー中央ビーム４００は、その長さの一部に少なくとも沿う曲げる力に対向するための概してＵ字形状の断面を有することができる。Ｕ字形状は外側に突出するフランジ４０３と、Ｕ字形状の側壁とフランジの間の接合部において、実質的に平坦な部分４０２である溝４０１を備える。カバープレート４２０は、溶接領域４４０が配置されることができる、平坦な部分４２２を有することができる。
【００５２】
図４において描かれるように、カバープレート４２０及びＢ−ピラー中央ビーム４００は、Ｂ−ピラー中央ビーム３００とカバープレート３２０が、構造体の外側領域、フランジにおいて、溶接される、図３の実施例と異なる、Ａ軸によって示される構造体の中央部の近くの領域において接合されることができる。それゆえ、図４に示されるカバープレート４２０は、フランジを必要としなくてもよく、Ｂピラー中央ビーム４００は、溶接、特にレーザ溶接、さらに好ましくは、遠隔レーザ溶接を可能とするのに十分大きい平らな領域４０２を有する。
【００５３】
本開示の実施例において、中央ビームとカバープレートを接合することは、スポット溶接の代わりにレーザ溶接によってなされることができる。レーザ溶接技術は、金属を溶融及び結晶化することによって金属部品を接合するために用いられる。さらに、接合において、酸素泡の発生を避けるための保護ガスが使われることができる。
【００５４】
レーザ溶接は、容易に自動化することができ、すなわち、速度と正確性の増加を伴い、溶けた金属が接合部の基礎部になるため、一般に余分な（充填）材料の追加を必要としない。また、溶接において、孔を作り出すことなく、連続溶接が可能でもある。
【００５５】
他方、レーザ溶接は、複数の溶接で形成された不連続な溶接の形成もできる。そのような不連続な溶接は１０ｍｍの最小長さ、好ましくは３０ｍｍの最小長さを有することができる。
【００５６】
本開示の実施例は、好ましくは、遠隔レーザ溶接による、構造ビームのカバープレートと中央ビームの両方を溶接することができる。遠隔レーザ溶接プロセスは、長い焦点長さ（１６００ｍｍ以下の）、高出力及びレーザ源、並びにスキャナによるビーム偏向によって特徴付けられる。従来のレーザ溶接と比較すると、遠隔溶接技術は、柔軟性の増加（プロセスパラメータのより多くを考慮に入れることができるので）、高い運転速度、締め具で締める数の減少、及びサイクル時間の減少を提供する。
【００５７】
遠隔レーザ溶接は、通常、高速度で移動するワークピースの表面上にレーザビームを偏向し、配置するためのスキャナを使うことに基づき、また、現在において、２Ｄスキャナも使うことができるが、３Ｄスキャナが、遠隔溶接アプリケーションにおいて、最も幅広く適用されるスキャナである。スキャナユニットは、移動ミラーが用いられ、レーザビームを案内するためにモータによって、遠隔操作される、ガルバノメータシステムであることができる。スキャナユニットは、ロボットと連動して、ワークピースの表面上に案内されることができる。
【００５８】
任意に、スキャナユニットとロボットの動作は、１つの溶接継ぎ目から次の溶接継ぎ目への非生産再配置時間を減らすために、リアルタイムで同期されることができる。この形態は、一般に、「オンザフライでの溶接」（ｗｅｌｄｉｎｇ  ｏｎ  ｔｈｅ  ｆｌｙ）として知られている。「オンザフライでの溶接」形態において、スキャナユニットが、高速で正確な動作を提供しつつ、ロボットは、広い作業領域を有する。
【００５９】
任意に、遠隔レーザ溶接システムは、位置決めの正確性を増すために、シームトラッキングシステムを組み込むことができる。隅肉溶接形態は、オーバーラップ接合より位置エラーへの感度が高いため、シームトラッキングシステムは、隅肉溶接形態において使われることができる。それゆえ、溶接継ぎ目は、さらに減らされることができる。
【００６０】
いくつかの形態において、オンザフライでの溶接及びシームトラッキングシステムは、組み合わせることができる。
【００６１】
前に言及したように、レーザ溶接に必要とされる最小平面は、すなわち、溶接方向に垂直に約２ｍｍの幅にわたり、１５ｍｍの最小幅を必要とするスポット溶接と比較して、かなり少ないので、レーザ溶接は、スポット溶接よりも結果を改善する。遠隔レーザ溶接について言えば、シームトラッキングを備える隅肉溶接が使われることができる。それゆえ、小さい平坦な領域は、少なくとも２ｍｍ、好ましくは３から１０ｍｍであることができる、レーザ溶接に適するＢ−ピラー中央ビーム構造の溝に作り出されることができる。
【００６２】
結果として、重量の減少は、カバープレート４２０では、少ない材料が必要とされるので、図４の実施例において達成されることができる。フランジは、カバープレート４２０において必要とされないので、車、例えば自動車の全ての重量は、いくつかの場合において、従来の実施と比較して、約１キログラム、それぞれＢ−ピラーにおいて、約４００グラム、減らすことができる。自動車会社はどんなに小さくても、重量の減少を探し求めているので、減少量は、無視できる程小さいものではない。
【００６３】
図５ａと５ｂは、本開示の他の実施例による、中央ビーム５０１、５０２及びカバープレート５２１、５２２の構造ビームの異なる断面実施例を描く。
【００６４】
図５ａは、中央ビーム５０１、この実施例において、Ｂ−ピラー中央ビーム、のＵ字形形状の断面は、平坦な底部壁５５１を備える、実施例を示す。実施例は、さらに実質的に曲がった断面のカバープレート５２１を備える。図５ｂは、中央ビーム５０２の断面、この実施例において、Ｂ−ピラー中央ビーム、の側壁５４２のそれぞれが、座屈を減らすことができる、遷移領域５５２が設けられる実施例を示す。図５ｂは、さらに断面が、実質的にその中央領域で曲げられ、また底部壁を備える、カバープレート５２２を備える。
【００６５】
図６ａ及び６ｂは、本開示の他の実施例による第１のビーム６０１、６２１及びカバープレート６０２、６２２の構造ビームの異なる断面実施例を描く。
【００６６】
図６ａは、バンパの一部である第１のビーム６０１のＵ字形状の断面の実施例を描く。いくつかの実施例において、バンパは、第１のビーム（またはバンパビーム）及びカバープレートを備えることができる。第１のビーム６０１の断面は、その底部壁において溝６１０が設けられ、カバープレート６０２は、完全に平らな断面を有する。最終的に、図６ｂは、第１のビーム６２１のＵ字形状の断面が丸い底部壁６３０を有し、カバープレート６２２の断面は完全に平坦である、バンパの別の実施例を示す。
【００６７】
他の実施例において、構造ビームは、Ａ−ピラーの一部であることができる。
【００６８】
前に言及したように、Ｂ−ピラー中央ビームは、これらの領域に可能な形態が図７の実施例に示されるので、例えば、シートベルトアンカまたはドアロックなどの穴を有することができる。実施例において、Ｂ−ピラー中央ビーム７００は、その底部壁の中央に穴７０１を有することができ、カバープレート７２０は、穴の存在を埋め合わせるための特定の形状を有することができること、が描かれる。
【００６９】
第１のビームとカバープレートの構造ビームは、例えばホットスタンピングによって、分離して製造されることができる。図８は、本開示の実施例による方法を概略的に描く。方法は、構造ビーム第１のビームがホットスタンピングで製造されるが、カバープレートはコールドスタンピングで製造される、２つの並行プロセスを備え、そしてその後、第１のビームとカバープレートが合わせて溶接される。
【００７０】
ホットスタンピングステップによる構造ビーム第１のビームを製造する方法の第１のステップは、例えば、９００℃から９５０℃の温度で、加熱炉でスチールブランクを加熱８１１することからなる。その後、ブランクは、所望の形状を得るためにスタンプ８１２（まだ熱い間）される。最終的に、ブランクは焼き入れ８１３される。カバープレートは図８に示されるように、同じプロセスでまたはコールドスタンピングで製造されることができる。冷間成形は圧力下８２１で成形金型の内側の室温において、金属のシートの変態を含む。金属シートは加熱８２２され、焼き入れ８２３された後に、硬化した部品を得る。第１のビーム及びカバープレートが製造されたとき、それらは、例えば、レーザ溶接によって、合わせて溶接８３０されることができる。
【００７１】
カバープレートは、また、ホットスタンピングプロセス（図示せず）によって製造されることができる。スチールブランクは加熱炉で加熱されることができ、まだ熱い間にスタンプされ、最終的に焼き入れされることができる。両方の部分が製造されたとき、それらは、例えば、レーザ溶接によって、合わせて溶接されることができる。
【００７２】
多くの実施例が本明細書で開示されるのみであるが、他の代替、改良、使用、及び／またはその均等物は可能である。さらに、開示された実施例の全ての可能な組み合わせも、含まれる。それゆえ、本開示の範囲は、特定の実施例によって限定されるべきでなく、続く請求項の公正な読み方によってのみ決定されるべきである。
【図１】
2019501813.tif 000005
【図２ａ】
2019501813.tif 000006
【図２ｂ】
2019501813.tif 000007
【図２ｃ】
2019501813.tif 000008
【図３】
2019501813.tif 000009
【図４】
2019501813.tif 000010
【図５ａ】
2019501813.tif 000011
【図５ｂ】
2019501813.tif 000012
【図６ａ】
2019501813.tif 000013
【図６ｂ】
2019501813.tif 000014
【図７】
2019501813.tif 000015
【図８】
2019501813.tif 000016
【国際調査報告】
2019501813.tif 000017
2019501813.tif 000018
2019501813.tif 000019